(57)【要約】      （修正有）【課題】簡易な構造で保管や持ち運びを容易とするエプロンを提供する。【解決手段】エプロン１０は、人が着用した場合に人の正面を覆うエプロン中央部１２と、エプロン中央部１２に設けられるポケット１４Ａと、エプロン中央部１２の左右にエプロン側部１６Ｌ，１６Ｒと、を備える。エプロン中央部１２の幅ｗ１の長さは、ポケット１４Ａの開口部１４ｏの幅ｗ２の長さと同等である。また、エプロン側部１６Ｌ，１６Ｒの幅ｗ３の長さは幅ｗ２の長さと同等、又は幅ｗ２の長さ未満である。そして、ポケット１４Ａは、エプロン中央部１２の最下部に備えられ、エプロン１０が折り畳まれる場合にポケット１４Ａの内側１４ｉｓと外側とが反転し、反転したポケット１４Ａにエプロン１０全体が収納される。【選択図】図１
0003209902.tif 000002
【実用新案登録請求の範囲】
【請求項１】
人が着用した場合に人の正面を覆うエプロン中央部と、
前記エプロン中央部に設けられるポケットと、
を備え、
前記エプロン中央部の幅の長さは、前記ポケットの開口部の幅の長さと同等であるエプロン。
【請求項２】
前記エプロン中央部の左右にエプロン側部を備え、
前記エプロン側部の幅の長さは、前記ポケットの開口部の幅の長さと同等、又は前記ポケットの開口部の幅の長さ未満である請求項１記載のエプロン。
【請求項３】
前記ポケットは、前記エプロン中央部の最下部に備えられる請求項１又は請求項２記載のエプロン。
【請求項４】
折り畳まれる場合に前記ポケットの内側と外側とが反転され、反転した前記ポケットに全体が収納される請求項１から請求項３の何れか１項記載のエプロン。
【請求項５】
前記ポケットは、袋状であり、前記エプロン中央部に対して揺動可能なように前記ポケットの上辺で前記エプロン中央部に接合される請求項１又は請求項２記載のエプロン。
【請求項６】
前記ポケットは、前記エプロン中央部に対して着脱可能とされている請求項５記載のエプロン。
【考案の詳細な説明】
【技術分野】
【０００１】
本考案は、エプロンに関するものである。
【背景技術】
【０００２】
調理を行う際や食事を行う際に人が着用するエプロンは、一般的に、使用されない場合には折り畳まれて保管される。
【０００３】
特許文献１には、保管の際に小さく折り畳むことができるエプロンとして、エプロン本体の側端部付近を前方又は後方に屈曲した際にその屈曲した形状を略保持できるように、エプロン本体の少なくとも側端部付近に形状保持材料が積層されたエプロンが開示されている。
【先行技術文献】
【特許文献】
【０００４】
【特許文献１】特開２０１０−１５０６９５号公報
【考案の概要】
【考案が解決しようとする課題】
【０００５】
しかしながら、特許文献１に開示されているエプロンは、形状保持材料を使用するため、構造が複雑である。
【０００６】
本考案は、このような事情に鑑みてなされたものであって、簡易な構造で保管や持ち運びを容易とするエプロンを提供することを目的とする。
【課題を解決するための手段】
【０００７】
上記課題を解決するために、本考案のエプロンは以下の手段を採用する。
【０００８】
本考案の第一態様に係るエプロンは、人が着用した場合に人の正面を覆うエプロン中央部と、前記エプロン中央部に設けられるポケットと、を備え、前記エプロン中央部の幅の長さは、前記ポケットの開口部の幅の長さと同等である。
【０００９】
上記第一態様では、前記エプロン中央部の左右にエプロン側部を備え、前記エプロン側部の幅の長さは、前記ポケットの開口部の幅の長さと同等、又は前記ポケットの開口部の幅の長さ未満としてもよい。
【００１０】
上記第一態様では、前記ポケットは、前記エプロン中央部の最下部に備えられてもよい。
【００１１】
上記第一態様では、折り畳まれる場合に前記ポケットの内側と外側とが反転され、反転した前記ポケットに全体が収納されてもよい。
【００１２】
上記第一態様では、前記ポケットは、袋状であり、前記エプロン中央部に対して揺動可能なように前記ポケットの上辺で前記エプロン中央部に接合されてもよい。
【００１３】
上記第一態様では、前記ポケットは、前記エプロン中央部に対して着脱可能とされてもよい。
【考案の効果】
【００１４】
本考案によれば、簡易な構造でエプロンの保管や持ち運びを容易とする、という効果を有する。
【図面の簡単な説明】
【００１５】
【図１】本考案の第１実施形態に係るエプロンの概略図である。
【図２】本考案の第１実施形態に係るエプロンの折り畳み方法を示す図である。
【図３】本考案の第２実施形態に係るエプロンの概略図である。
【図４】本考案の第２実施形態に係るエプロンの折り畳み方法を示す図である。
【図５】本考案の他の実施形態に係るエプロンの概略図である。
【図６】本考案の他の実施形態に係るエプロンの概略図である。
【考案を実施するための形態】
【００１６】
以下に、本考案に係るエプロンの一実施形態について、図面を参照して説明する。
【００１７】
〔第１実施形態〕
以下、本考案の第１実施形態について説明する。
【００１８】
図１は、本実施形態に係るエプロン１０の概略図である。図１（Ａ）は、エプロン１０の正面図である。図１（Ｂ）は、図１（Ａ）におけるエプロン１０のＡ−Ａ断面図である。なお、エプロン１０は、着用している人の衣服が汚れることを防止する前掛けであり、人が調理を行うときに着用されてもよいし、人が食事をするときに着用されてもよい。また、これに限られず、エプロン１０は、人が調理や食事を行う以外のときに着用されてもよい。
【００１９】
本実施形態に係るエプロン１０の材質は、織物、編み物（メリヤス生地）、レース、フェルト、不織布等の布である。なお、エプロン１０の材質は、布に限られず、ビニールや紙であってもよく、複数種類の材質が用いられてもよいし、適宜金属製の部品が用いられてもよい。
【００２０】
エプロン１０は、人が着用した場合に人の正面を覆うエプロン中央部１２と、エプロン中央部１２に設けられるポケット１４Ａと、を備える。
【００２１】
一例として、エプロン中央部１２は略矩形であり、人に着用された場合の高さ方向に長辺１２ｈを有する長方形である。このため、人がエプロン１０を着用した場合、エプロン中央部１２の短辺の一方が上辺（以下「中央部上辺」という。）１２ｔとなり、エプロン中央部１２の短辺の他方が下辺（以下「中央部下辺」という。）１２ｕとなる。なお、本実施形態に係るエプロン１０は、中央部上辺１２ｔと中央部下辺１２ｕとが同じ長さであるが、これに限らず、中央部上辺１２ｔと中央部下辺１２ｕとが異なる長さであってもよい。
【００２２】
ポケット１４Ａは、エプロン１０が人に着用された場合、開口部１４ｏが上方を向き、エプロン中央部１２の中心線（Ａ−Ａ断面線）とポケット１４Ａの中心線がほぼ一致するように備えられる。そして、本実施形態に係るポケット１４Ａは、エプロン１０の表面１０ｆであって、エプロン中央部１２の最下部に備えられる。このため、エプロン１０は、ポケット１４Ａの下辺１４ｕと中央部下辺１２ｕの位置が略一致する。なお、図１（Ｂ）における１０ｂは、エプロン１０の裏面を示す。
【００２３】
また、エプロン１０は、エプロン中央部１２の左右にエプロン側部１６Ｌ，１６Ｒを備える。人がエプロン１０を着用した場合、エプロン側部１６Ｌ，１６Ｒは人の側面や背面を覆う。
【００２４】
中央部下辺１２ｕとエプロン側部１６Ｌ，１６Ｒの下辺（以下「側部下辺」という。）１６Ｌｕ，１６Ｒｕは、一例として、連続した一つの辺を形成する。
【００２５】
エプロン側部１６Ｌの左辺（以下「側部左辺」という）１６Ｌｌ及びエプロン側部１６Ｒの右辺（以下「側部右辺」という。）１６Ｒｒは、エプロン１０を着用した人の腕と干渉しないように、エプロン中央部１２の長辺１２ｈよりも短い。このため、中央部上辺１２ｔの左端と側部左辺１６Ｌｌの上端とは弧状の接合辺１８Ｌを介して接合され、中央部上辺１２ｔの右端と側部右辺１６Ｒｒの上端とは弧状の接合辺１８Ｒを介して接合される。なお、接合辺１８Ｌ，１８Ｒは直線状であってもよい。このように本実施形態に係るエプロン側部１６Ｌ，１６Ｒは、台形状とされている。
【００２６】
エプロン１０には、人が着用する場合に結ばれる紐等が備えられる。一例として、中央部上辺１２ｔには紐２０Ｔ及び留め部２２が設けられる。また、側部左辺１６Ｌｌには紐２０Ｌが設けられ、側部右辺１６Ｒｒには紐２０Ｒが設けられる。人がエプロン１０を着用する場合には、紐２０Ｔが首の後ろ側にまわされて、紐２０Ｔが留め部２２に結ばれる。また、紐２０Ｌ，２０Ｒは、人の胴回りに沿って人の背面から正面に向けてまわされ、エプロン中央部１２及びエプロン側部１６Ｌ，１６Ｒを挟み込んで人の正面で結ばれる。
【００２７】
本実施形態に係るエプロン１０は、保管や持ち運びのために折り畳まれる場合、エプロン１０全体がポケット１４Ａに収納される。
【００２８】
このため、エプロン中央部１２の幅ｗ１の長さは、ポケット１４Ａの開口部１４ｏの幅ｗ２の長さと同等である。また、エプロン側部１６Ｌ，１６Ｒの幅ｗ３の長さは幅ｗ２の長さと同等、又は幅ｗ２の長さ未満である。なお、ここでいう幅とは、エプロン１０を人が着用した際の左右方向である。
【００２９】
また、「同等」とは、幅ｗ１の長さと幅ｗ２の長さ、又は幅ｗ３の長さと幅ｗ２の長さが一致するだけでなく、エプロン中央部１２を開口部１４ｏからポケット１４Ａへ収納する場合に支障なく収納できる程度（例えば１ｃｍ以下）の差を、幅ｗ１の長さと幅ｗ２の長さ又は幅ｗ３の長さと幅ｗ２の長さが有する場合も含む。また、幅ｗ１及び幅ｗ３は、最大幅であり、本実施形態に係る幅ｗ１の長さは中央部上辺１２ｔ及び中央部下辺１２ｕの長さに相当し、本実施形態に係る幅ｗ３の長さは側部下辺１６Ｌｕ，１６Ｒｕに相当する。
【００３０】
このように、エプロン中央部１２の幅ｗ１の長さ及びエプロン側部１６Ｌ，１６Ｒの幅ｗ３の長さは、ポケット１４Ａの開口部１４ｏからエプロン中央部１２及びエプロン側部１６Ｌ，１６Ｒを支障なく収納できる長さとされる。
【００３１】
そして、エプロン１０を折り畳む場合、ポケット１４Ａの内側１４ｉｓと外側１４ｏｓとを反転させ、反転したポケット１４Ａにエプロン１０全体が収納される。すなわち、エプロン１０は、折り畳んで全体がポケット１４Ａに収納されるという簡易な構造によって、折り畳んだ後にエプロン１０が広がることを容易に防止できるので、保管や持ち運びが容易となる。
【００３２】
また、エプロン１０が着用されて使用されたことにより、ポケット１４Ａの表面が汚れたとしても、エプロン１０は表裏が反転したポケット１４Ａに収納されるため、エプロン１０の保管や持ち運びの際に、ポケット１４Ａの汚れた面が表にならない。
【００３３】
図２は、本実施形態に係るエプロン１０の折り畳み方法の一例を示す図である。
【００３４】
まず、エプロン１０を裏返し、エプロン側部１６Ｌ，１６Ｒをエプロン中央部１２の裏側（裏面１０ｂ方向）へ折り畳む（図２（Ａ），（Ｂ））。次に、図２（Ｃ）に示されるように、エプロン１０を裏返したままで、ポケット１４Ａの高さと略同様となるように、エプロン中央部１２とエプロン側部１６Ｌ，１６Ｒとを折り畳む。図２（Ｃ）の例では、四つ折りとしている。これにより、折り畳まれたエプロン１０のサイズは、ポケット１４Ａとほぼ同じサイズとなる。
【００３５】
次に、エプロン１０をポケット１４Ａが表側となるように裏返す（図２（Ｄ））。そして、ポケット１４Ａの開口部１４ｏを下側へ広げ、そのまま開口部１４ｏを折り畳んだエプロン１０の下側から裏側に至るように引っ張ることで、ポケット１４Ａの表裏を反転させる（図２（Ｅ））。これにより、折り畳まれたエプロン１０全体が、ポケット１４Ａに収納されることとなる（図２（Ｆ））。
【００３６】
以上説明したように、本実施形態に係るエプロン１０は、人が着用した場合に人の正面を覆うエプロン中央部１２、エプロン中央部１２に設けられるポケット１４Ａ、及びエプロン中央部１２の左右にエプロン側部１６Ｌ，１６Ｒを備える。エプロン中央部１２の幅ｗ１の長さは、ポケット１４Ａの開口部１４ｏの幅ｗ２の長さと同等である。また、エプロン側部１６Ｌ，１６Ｒの幅ｗ３の長さは幅ｗ２の長さと同等、又は幅ｗ２の長さ未満である。
【００３７】
そして、本実施形態に係るポケット１４Ａは、エプロン中央部１２の最下部に備えられ、エプロン１０が折り畳まれる場合、ポケット１４Ａの内側１４ｉｓと外側１４ｉｏとが反転され、反転したポケット１４Ａにエプロン１０全体が収納される。
【００３８】
従って、本実施形態に係るエプロン１０は、簡易な構造でエプロン１０の保管や持ち運びを容易とする。
【００３９】
〔第２実施形態〕
以下、本考案の第２実施形態について説明する。
【００４０】
図３は、本実施形態に係るエプロン１０の構成を示す。図３（Ａ）は、エプロン１０の正面図である。図３（Ｂ）は、図３（Ａ）におけるエプロン１０のＡ−Ａ断面図である。なお、図３における図１と同一の構成部分については図１と同一の符号を付して、その説明を省略する。
【００４１】
本実施形態に係るポケット１４Ｂは袋状であり、エプロン中央部１２に対して揺動可能なようにポケット１４Ｂの上辺（以下「ポケット上辺」という。）１４Ｂｕでエプロン中央部１２に接合される。より詳しくは、ポケット１４Ｂは、ポケット上辺１４Ｂｕを軸としてエプロン中央部１２の長辺１２ｈ方向（図３（Ｂ）の矢印Ｂで示される上下方向）に対して揺動可能とされる。
【００４２】
本実施形態に係るポケット１４Ｂは、ポケット上辺１４Ｂｕでエプロン中央部１２に縫い合わされるが、これに限らず、ポケット１４Ｂはエプロン中央部１２に対してボタンやマジックテープ（登録商標）等の面ファスナーで留められることで、着脱可能とされてもよい。
【００４３】
ポケット１４Ｂは、エプロン中央部１２の中心線（Ａ−Ａ断面線）上であれば、何れの位置に接合されてもよいが、本実施形態に係るポケット１４Ｂは、一例として、エプロン中央部１２の略中央に接合される。
【００４４】
本実施形態に係るエプロン１０は、保管や持ち運びのために折り畳まれる場合、エプロン１０全体がポケット１４Ｂに収納される。
【００４５】
このため、エプロン中央部１２の幅ｗ１の長さは、ポケット１４Ｂの開口部１４ｏの幅ｗ２の長さと同等である。また、エプロン側部１６Ｌ，１６Ｒの幅ｗ３の長さはポケット１４Ｂの開口部１４ｏの幅ｗ２の長さと同等、又は幅ｗ２の長さ未満である。すなわち、エプロン中央部１２の幅ｗ１の長さ及びエプロン側部１６Ｌ，１６Ｒの幅ｗ３の長さは、ポケット１４Ｂの開口部１４ｏからエプロン中央部１２及びエプロン側部１６Ｌ，１６Ｒを支障なく収納できる長さとされる。
【００４６】
そして、エプロン１０を折り畳む場合に、揺動するポケット１４Ｂにエプロン１０全体が収納される。すなわち、エプロン１０は、折り畳んで全体がポケット１４Ｂに収納されるという簡易な構造によって、折り畳んだ後にエプロン１０が広がることを容易に防止できるので、保管や持ち運びが容易となる。
【００４７】
図４は、本実施形態に係るエプロン１０の折り畳み方法の一例を示す図である。
【００４８】
まず、エプロン１０を裏返し、エプロン側部１６Ｌ，１６Ｒをエプロン中央部１２の裏側（裏面１０ｂ方向）へ折り畳む（図４（Ａ），（Ｂ））。次に、ポケット１４Ｂが表側となり、中央部上辺１２ｔと中央部下辺１２ｕとが重なり合うように、エプロン１０を高さ方向に二つ折りにする（図４（Ｃ））。このとき、ポケット１４Ｂは、ポケット上辺１４Ｂｕのみで接合され、揺動可能とされているため、二つ折りの障害になることはない。
【００４９】
次に、重なり合った中央部上辺１２ｔと中央部下辺１２ｕとがポケット１４Ｂの開口部１４ｏを向くように、エプロン１０をさらに二つ折りにする（図４（Ｄ））。これにより、エプロン１０のサイズは、ポケット１４Ｂとほぼ同じサイズとなる。そして、ポケット１４Ｂの開口部１４ｏを上下方向へ広げ、折り畳んだエプロン１０を開口部１４ｏからポケット１４Ｂへ押し入れる（図４（Ｅ））。これにより、折り畳まれたエプロン１０全体が、ポケット１４Ｂに収納されることとなる（図４（Ｆ））。
【００５０】
以上説明したように、本実施形態に係るポケット１４Ｂは、袋状であり、エプロン中央部１２に対して揺動可能なようにポケット１４Ｂの上辺でエプロン中央部１２に接合される。そして、本実施形態に係るエプロン１０が折り畳まれる場合、揺動可能とされたポケット１４Ｂにエプロン１０全体が収納される。
【００５１】
従って、本実施形態に係るエプロン１０は、簡易な構造でエプロン１０の保管や持ち運びを容易とする。
【００５２】
以上、本考案を、上記各実施形態を用いて説明したが、本考案の技術的範囲は上記実施形態に記載の範囲には限定されない。考案の要旨を逸脱しない範囲で上記各実施形態に多様な変更又は改良を加えることができ、該変更又は改良を加えた形態も本考案の技術的範囲に含まれる。また、上記各実施形態を適宜組み合わせてもよい。
【００５３】
例えば、上記各実施形態では、ポケット１４Ａ，１４Ｂをエプロン中央部１２の表面に設ける形態について説明したが、本考案は、これに限定されるものではなく、ポケット１４Ａ，１４Ｂをエプロン中央部１２の裏面に設ける形態としてもよい。また、エプロン１０にポケット１４Ａ，１４Ｂが複数備えられ、そのうちの一つのポケット１４Ａ，１４Ｂにエプロン１０が収納される形態としてもよい。
【００５４】
また、上記各実施形態では、エプロン１０がエプロン側部１６Ｌ，１６Ｒを備える形態について説明したが、本考案は、これに限定されるものではなく、図５に示すように、エプロン側部１６Ｌ，１６Ｒを備えない形態としてもよい。この形態の場合、エプロン中央部１２の左右に紐２０Ｌ，２０Ｒが備えられる。
【００５５】
また、上記各実施形態では、エプロン側部１６Ｌ，１６Ｒを台形状とする形態について説明したが、本考案は、これに限定されるものではなく、図６に示すように、エプロン側部１６Ｌ，１６Ｒが三角形状とされる形態としてもよい。図６の例では、三角形状とされたエプロン側部１６Ｌ，１６Ｒの底辺に対向する頂点に紐２０Ｌ，２０Ｒが備えられる。また、該頂点から底辺に至る長さが幅ｗ３とされる。
【００５６】
なお、ポケット１４Ａ，１４Ｂの開口部１４ｏには、開口部１４ｏを閉じるための部材として、ボタンやファスナー等が備えられてもよい。さらに、ポケット１４Ａ，１４Ｂには、ハトメによって補強された貫通孔が設けられてもよい。例えば、この貫通孔に商品タグが括られる。
【符号の説明】
【００５７】
１０    エプロン
１２    エプロン中央部
１４Ａ  ポケット
１４Ｂ  ポケット
１４ｏ  開口部
１６Ｌ  エプロン側部
１６Ｒ  エプロン側部
【図１】
0003209902.tif 000003
【図２】
0003209902.tif 000004
【図３】
0003209902.tif 000005
【図４】
0003209902.tif 000006
【図５】
0003209902.tif 000007
【図６】
0003209902.tif 000008